(57)【特許請求の範囲】
【請求項１】
コネクタ（２）を用いて一体に突き当てられた、樹脂をベースとしてなる２つの中空品端部（１０，１１）から形成される結合であって、
前記コネクタは、中央部品（２１）および前記中空品端部にそれぞれ係止される樹脂製の２つのフランジ（２２，２３）を有する本体（２０）を備え、それら２つのフランジが、前記中空品端部の内側と摩擦接触することにより、前記コネクタの周囲の所定位置に前記中空品端部を保持可能な固定手段（２８，２９，３０，３１）を有する結合において、
前記フランジ（２２，２３）は、該フランジの厚さより薄く、該フランジの幅より狭い延長部（２４ａ）を有し、
前記コネクタの前記固定手段（２８，２９，３０，３１）は樹脂製であり、かつ、少なくとも前記固定手段の１つ（３０，３１）は、圧力が加えられたときに変形するように柔軟性を有し、
前記柔軟性ある固定手段（３０，３１）は、リップ形状をなし、かつ、
前記延長部（２４ａ）に一体化されるベース部（３２）と、
前記延長部から突出するとともに前記コネクタの前記中央部品（２１）に向けて傾斜するように伸延する伸延部（３３）と、
前記中空品端部の内壁に接触する自由端部（３４）と、を備え、
前記柔軟性ある固定手段（３０，３１）は、前記コネクタの長手方向軸線（Ｂ）に垂直な二方向で前記延長部から延びると共に、前記固定手段（３０，３１）の高さ（ｈ１）が前記中空品端部（１０，１１）の内側の高さ（ｈ２）より大きく、前記固定手段（３０，３１）の幅（ｌ１）が前記中空品端部（１０，１１）の内側の幅（ｌ２）より大きいことを特徴とする結合。
【請求項２】
請求項１に記載の結合において、
前記柔軟性ある固定手段（３０，３１）は、中空品端部を引っ張るときに発生する引張力に抗したストレスを生じることを特徴とする結合。
【請求項３】
請求項１〜２のいずれか１項に記載の結合において、
前記コネクタの前記固定手段（２８，２９，３０，３１）および前記本体（２０）は、同一の樹脂により構成されていることを特徴とする結合。
【請求項４】
請求項１〜３のいずれか１項に記載の結合において、
前記固定手段は、各フランジ（２２，２３）の互いに反対側の２面の各々に突起し、前記中空品端部の内側に局所的なストレスを生じる硬直的な止め具（２８，２９）を備えることを特徴とする結合。
【請求項５】
請求項１〜４のいずれか１項に記載の結合において、
前記コネクタは、各フランジに少なくとも１つの柔軟性ある固定手段（３０，３１）を備えることを特徴とする結合。
【請求項６】
請求項１〜５のいずれか１項に記載の結合において、
前記柔軟性ある固定手段（３０，３１）は、フランジの延長部（２４ａ）に一体化され、前記固定手段は、前記延長部から突出していることを特徴とする結合。
【請求項７】
請求項１〜６のいずれか１項に記載の結合において、
各フランジ（２２，２３）は、
互いに反対側の２つの長手方向面（２４，２５）と、
前記フランジに沿って伸延し、前記２つの長手方向面にそれぞれ一体に連結する互いに反対側の２つの側面（２６，２７）とを有し、
各フランジの少なくとも１つの柔軟性ある固定手段（３０，３１）は、少なくともその片側で、フランジの側面（２６，２７）の１つを含む平面に関連して突出していることを特徴とする結合。
【請求項８】
請求項１に記載の結合において、
前記固定手段（３０，３１）の高さ（ｈ１）と前記中空品端部（１０，１１）の内側の高さ（ｈ２）との寸法差Δｈは、０．５ｍｍを越えないことを特徴とする結合。
【請求項９】
請求項１に記載の結合において、
前記固定手段（３０，３１）の幅（ｌ１）と前記中空品端部（１０，１１）の内側の幅（ｌ２）との寸法差Δｌは、少なくとも中空品端部の壁の片側において最大でも０．５ｍｍであることを特徴とする結合。
【請求項１０】
請求項１〜９のいずれか１項に記載の結合において、
前記柔軟性ある固定手段（３０，３１）は、比率ｅ／Ｌがｅ／Ｌ＜１／３、好ましくはｅ／Ｌ＜１／４となるような厚さｅと長さＬを有することを特徴とする結合。
【請求項１１】
請求項１〜１０のいずれか１項に記載の結合において、
少なくとも１つの柔軟性ある固定手段は、前記コネクタの前記中央部品とは反対方向にあるベース部（３２）に対して傾斜角（β）が形成された自由端部（３４）を有することを特徴とする結合。
【請求項１２】
請求項１〜１１のいずれか１項に記載の結合において、
前記コネクタの前記中央部品（２１）は、前記フランジの側面（２５，２６）に設けられた側面突起部を備え、前記コネクタが２つの前記中空品端部に挿入されたとき、前記側面突起部は２つの中空品端部の停止部（２１ａ，２１ｂ）として作用することを特徴とする結合。
【請求項１３】
請求項１〜１２のいずれか１項に記載の結合において、
前記中央部品（２１）は、前記中空品端部が前記中央部品に突き当たる部分を覆うシール手段４を備えることを特徴とする結合。
【請求項１４】
請求項１〜１３のいずれか１項に記載の結合において、
前記コネクタの前記固定手段（２８，２９，３０，３１）は、ポリアミド、ポリエチレン、またはＳＡＮをベースしてなり、好ましくは強化繊維で満たされることを特徴とする結合。
【請求項１５】
請求項１〜１４のいずれか１項に記載の結合において、
前記コネクタは、角度付きコネクタまたは直線型のコネクタであることを特徴とする結合。
【請求項１６】
請求項１〜１５のいずれか１項に記載の少なくとも１つの結合を備えるフレーム。
【請求項１７】
請求項１６に記載のフレームを備える絶縁ガラスユニット。
【発明の詳細な説明】
【技術分野】
【０００１】
本発明は、樹脂をベースとする中空品の端部に挿入されるコネクタを用いての２つの中空品端部の結合に関する。
【背景技術】
【０００２】
そのような結合は、特に絶縁ガラスユニットの内部フレームを形成するために用いられる。「２つの中空品端部」という表現は、２つの分離した部品のそれぞれ２つの自由端部、もしくはそれ自体が折り曲げられた単一の部品の異なる２つの自由端部を意味すると理解される。
【０００３】
絶縁ガラスユニットのよく知られたタイプの一つは、例えば空気層のようなガス層によって隔てられた２枚のガラス板を備える。これらガラス板は離れて配置され、折り曲げられた中空品、もしくはコネクタと呼ばれる中央およびまたは隅部品により組み立てられた中空品からなるスペーサーフレームを用いて一体に支持される。９０°の隅部品は通常ブラケットと呼ばれる。
【０００４】
中空品は分子ふるいを備える。その目的は、特にガラスユニットの製造時に空気層内に閉じ込められた水分子を吸い込むことにあり、水分子は寒い天候で凝結しがちで、視界を曇らせる原因となる。
【０００５】
ガラスユニットを確実にシールするため、スペーサーフレームは、ノズルを介して押し出すことによりスペーサーフレームを形成する中空品に直接塗布されたブチルゴムタイプのエラストマーのビードにより、ガラス板に接着される。
【０００６】
いったんガラスユニットが組み立てられると、弾性体のシール用ビードは、ガラス板の一時的な機械的保持力を与えるように機能する。最終的には、ポリスルフィドまたはポリウレタン型の架橋可能なシール用マスチックが、２枚のガラス板とスペーサーフレームとの境界の周囲の溝に注入され、それによりガラス板の機械的な組立を完了する。ブチルゴムの目的は、主にガラスユニットの内側を水蒸気からシールすることにあり、それに対してマスチックは液状の水もしくは溶媒に対してシールする。
【０００７】
用いられる中空品は、一般に、例えばアルミニウムのような金属製である。しかしながら、現在では、かねてから例えば特許出願ＥＰ０８５２２８０に記載されているように樹脂製品が用いられている。それらは低い熱伝導率を有するので、ガラスユニットに対し良好な断熱力を与える。
【０００８】
さらに、中空品の端部は、フレームを形成するため、金属製のコネクタにより、あるいは少なくとも樹脂をベースとし、金属製の留め／保持要素を有するコネクタにより組み立てられる。コネクタは中空品端部にきつく嵌合され、側面の保持突出部のおかげで所定位置に保持される。
【０００９】
全体が金属製のコネクタの場合、例えば分解時に中空品端部を引っ張るために加えられる力の方向とは反対方向に向けて突出部が設けられる。そのようなコネクタは例えば特許出願ＥＰ０２８３６８９に記載されている。しかしながら、このタイプのコネクタは、特に側面の突出部において鋭利な角部を有し、コネクタを扱うときに負傷するおそれがある。
【００１０】
コネクタの全体が金属製というわけではないとき、例えばコネクタの側面の両側に突出した針形状の金属製の突出保持／留め要素を少なくとも有する。しかしながら、これら金属製の保持要素は、コネクタと中空品とが結合されると、樹脂製の中空品に食い込み、それにより内部に中空品端部を脆弱とする溝を生じる。
【００１１】
特許出願ＦＲ２６０４２１０は、側面に保持突出部を備えるが樹脂製であるコネクタを提供する。これにより全ての鋭利な角部を好適に除去し、その結果、そこから生じる負傷のあらゆるおそれを取り除く。このコネクタは、それにもかかわらず中空品端部への嵌合が容易であり、異なる金属の材質が中空品端部を構成するため、端部を脆弱とするおそれがない。これは、上記公報が開示されたときに、実在する中空品がほとんど金属製であったためである。
【００１２】
さらに、樹脂製の中空品端部に対しては、それ故しばらくの間、ある解決策が採られていた。これは、全長にわたってかなり特大の、全体が樹脂製のコネクタによるものであって、このような構成により、コネクタを中空品に強制的に挿入した後に、保持を確実にするものである。
【発明の概要】
【発明が解決しようとする課題】
【００１３】
しかしながら、この解決策はしばしば中空品の破裂を引き起こすので、採用されていない。
【００１４】
本発明の目的は、コネクタを扱うときの負傷のおそれ、およびまたはいったん結合された要素の脆弱のおそれ、さらには破壊のおそれを取り除くとともに、コネクタを用いて容易かつ確実な中空品の組立を可能とする樹脂製の２つの中空品端部の結合、もしくはそれ自体が折り曲げられているならばその中空品の結合を創出することにある。
【課題を解決するための手段】
【００１５】
本発明は、コネクタを用いて一体に突き当てられた、樹脂をベースとした２つの中空品端部から形成される結合に関し、コネクタは、中央部品と、中空品端部にそれぞれ係止される樹脂製の２つのフランジとを有する本体を備え、それら２つのフランジが、中空品端部の内側と摩擦接触することにより、コネクタの周囲の所定位置に中空品端部を保持可能な固定手段を有する。そして、コネクタの固定手段は樹脂製であり、かつ、少なくとも固定手段の１つは、圧力が加えられたときに変形するように柔軟性を有することを特徴とする。
【００１６】
明細書の残りにおいて、「柔軟性ある固定手段」という表現は、「硬直的な固定手段」に対立するものであり、それ故、圧力が加えられたときに固定手段が変形するという特性を有することを意味することが理解される。本発明の固定手段に適した金属は、例えば３５００ＭＰａ〜９０００ＭＰａの曲げ弾性率を有し、この曲げ弾性率はＩＳＯ１７８およびＩＳＯ５２７の標準規格により測定される。
【００１７】
柔軟性ある固定手段は、中空品端部を引っ張るときに、中空品端部からコネクタが完全に取り外されることが要求されれば、それにより生じるであろう引張力に抗したストレスを生じることが好ましい。この固定手段の柔軟性のおかげで、ストレスは連続表面上の硬直的なストレスよりも非常に低くなり、そうでないと中空品端部の破裂を引き起こすであろう。
【００１８】
コネクタ（本体と固定手段）は樹脂のみで構成されるので、材料コストと製造コストの点でコストを削減することを可能とし、例えば単に部品を樹脂成形することにより、製造工程を簡素化する。その結果として、固定手段が例えば樹脂コネクタの両側に固定され適切に配置された金属要素で構成されるときに、行うことが必要とされるであろう付加的な品質管理活動を生じることを避ける。
【００１９】
コネクタの固定手段と本体は、同一の樹脂で構成されることが好ましい。
【００２０】
ある特徴によれば、コネクタの最短の伸延部における、柔軟性ある固定手段が設けられている当のコネクタの断面は、中空品端部の内側寸法に比べて大きい。
【００２１】
コネクタは、各フランジに少なくとも１つの柔軟性ある固定手段を備えることが好ましい。
【００２２】
ある特徴によれば、固定手段は、さらに各フランジの互いに反対側の２面の各々に突起する硬直的な止め具を備える。これらの硬直的な固定手段は、中空品端部の内壁に局所的なストレスを付与し、それ故、ストレスはある点のみに集中し、それによって中空品端部が破裂するおそれがなく、中空品端部からのコネクタの不都合な取り外れを防ぐ。止め具は、中空品端部内の中央にコネクタを配置することにより、コネクタを位置決めするという利点も有する。これは、端部同士の合口を確実に平行状態とする。
【００２３】
他の特徴によれば、柔軟性ある固定手段はフランジの延長部に一体化され、延長部は、フランジが結合する最短の長さの伸延部かつ最小のサイズの伸延部に設けられ、固定手段はその延長部から突出する。
【００２４】
柔軟性ある固定手段の構成材料は別としても、好ましくは強化繊維で満たされた例えばポリアミド、ポリエチレン、ＳＡＮのように弾性特性を与えるにふさわしいものであり、フランジ自体と比べたフランジの延長部の厚さおよび幅に関する最小寸法は、柔軟性ある固定手段の周囲の材料に穴をあけることを可能にする。その結果、固定手段は長手方向および横方向に曲げおよび弾性の自由を有し、延長部は、柔軟性ある固定手段のベース部を単に支持するのに役立つ。
【００２５】
他の特徴によれば、コネクタの各フランジは、互いに反対側の２つの長手方向面と、フランジの最長の伸延部に沿って伸延し、２つの長手方向面にそれぞれ一体に連結する互いに反対側の２つの側面とを有し、各フランジの少なくとも１つの柔軟性ある固定手段は、少なくともその片側で、フランジの側面の１つを含む平面に関連して突出する。
【００２６】
柔軟性ある固定手段は、リップ形状をなし、かつ、フランジの延長部に一体化されるベース部と、延長部から突出するとともにコネクタの中央部品に向けて傾斜されるように伸延する伸延部と、さらに中空品端部の内壁に接触する自由端部とを備えることが好ましい。「リップ」なる語は、それを支持する本体部からから突出し、かつ、この本体部の厚さよりも非常に薄い薄厚部を有する要素を意味する。ある適用例では、その厚さは約０．５ｍｍである。
【００２７】
さらに、高さｈ１は、最短の伸延部における、コネクタの断面の最大高さに一致し、少なくとも１つの柔軟性ある固定手段において設定され、中空品端部の内側の高さｈ２よりも大きい。ｈ１とｈ２との高さの寸法差Δｈは、０．５ｍｍを超えないことが好ましい。
【００２８】
加えて、最短の伸延部における、コネクタの断面の最大幅に一致する幅ｌ１は、少なくとも１つの柔軟性ある固定手段において設定され、中空品端部の内側の幅よりも大きい。
【００２９】
２つの幅ｌ１とｌ２との幅の寸法差Δｌは、少なくとも中空品端部の壁の片側において最大０．５ｍｍである。本発明に示した例では、柔軟性ある固定手段の幅は、中空品端部の内側の２つの反対側位置において、フランジの長手方向軸に関して同等にかつ対称的に寸法差を有することにより、中空品端部の内側の幅よりも大きい。
【００３０】
中空品端部の内側寸法と比べた幅と高さについての少なくとも１つの柔軟性ある固定手段のこのオーバーサイズ化は、コネクタを取り外すことが要求されたならば、生じるはずである引張力に抗したストレスを生じることを可能にする。柔軟性ある固定手段の弾力性のために、これらのストレスは、さもなければ中空品端部が破裂する結果になるであろう値よりも低いままである。
【００３１】
柔軟性ある固定手段は、比率ｅ／Ｌがｅ／Ｌ＜１／３、好ましくはｅ／Ｌ＜１／４となるように厚さｅと長さＬを有することが好ましい。これにより、コネクタが所定位置にあるときに、中空品端部の壁に対抗するストレスを一層低減することを可能にする。
【００３２】
少なくとも１つの柔軟性ある固定手段は、コネクタの中央部品とは反対方向に斜めにされる自由端部を有することが好ましい。このようにすることで、いったんコネクタが所定位置に配置されると、部品の端部からコネクタを取り外すことがなおさら困難になる。
【００３３】
他の特徴によれば、コネクタの中央部品は、２つの中空品端部の停止部として作用し、２つのフランジの周囲でそれぞれ係止される側面突起部を備える。適用例によって、結合部が確実にシールされることが必要とされるときには、中央部品は、中空品端部が中央部品に突き当たる部分を覆うシール手段を備える。
【００３４】
コネクタ、すなわち角度付きコネクタもしくは直線型コネクタと、２つの中空品端部との結合は、そのため特にフレーム、とりわけ絶縁ガラスユニットの挿入物を構成するフレームを形成するために用いられる。
【００３５】
本発明の他の利点および特徴は、添付図とともに以下に、より詳細に説明される。
【図面の簡単な説明】
【００３６】
【図１】一端側が部品の端部に結合された本発明の実施形態に係るストレート継手としてのコネクタの断面図である。
【図２】本発明の実施形態に係るアングル継手を形成するコネクタの両端部への結合を示す断面図である。
【図３】図２に示すようにアングル継手に用いられる本発明の実施形態に係るコネクタの端図であり、コネクタの一部が中空品端部に連結されている図である。
【図４】中空品端部に挿入される前のコネクタの一端部の部分的な上面図である。
【図５】コネクタの一端部の部分的な正面図である。
【図６】コネクタのリップの側面図であり、図２のＡ部の拡大断面図である。
【発明を実施するための形態】
【００３７】
図１，２は、コネクタ２を用いて一体に突き当てることにより一体に連結された２つの中空品端部１０，１１の結合もしくは部分的な結合を示している。
【００３８】
中空品端部は、例えばガラス繊維により強化されたＳＡＮ型の熱可塑性の樹脂により構成され、特に表面の一部に薄いメタルコーティングが施されている。これら２つの端部の合口は、特に絶縁ガラスユニットの製造を対象としたスペーサーフレームを構成するために供される。このフレームを形成する部品の性質に関するより詳細な説明は、欧州特許出願ＥＰ０８５２２８０を参照されたい。
【００３９】
フレームは、特許ＥＰ０８７５６５４に開示された曲げ工程に記載されているように、角部で折り曲げられた単一の部品により形成してもよい。その部品の２つの自由端部は、そこでストレート継ぎ手として図１に示される態様で、本実施形態の矩形型コネクタにより一体に連結され得る。
【００４０】
フレームが、ガラスの各辺の長さに切られた多数の部品により構成されるとき、２つのそれぞれ隣接した部品の２つの端部は、９０°（ブラケット）型のアングル継ぎ手として図２に示される態様で、本実施形態の角度付きコネクタにより一体に連結される。
【００４１】
図１〜３を参照するに、矩形型コネクタと角度付きコネクタは、ともに中央部品２１と、長手方向軸線Ｂに沿って中央部品２１の両側に伸延する２つのフランジ２２，２３とを備える本体２０を有する。２つのフランジは、矩形型コネクタの場合には同一方向に向けられ、角度付きコネクタの場合には２つの異なる方向に向けられている。
【００４２】
そのような適用に対しては、長手方向軸線Ｂに沿った一のフランジの端部から他のフランジの端部までの直線型コネクタの長さは、例えば約５０ｍｍであり、軸線Ｂに対する垂直平面のコネクタの最短の伸延部における断面の高さは約３〜１０ｍｍで、幅は６〜３０ｍｍである。
【００４３】
さらに、絶縁ガラスフレームを製造するためには、この結合部をシールすることが必要である。そこで、中央部品２１に取り付けられ、合口部を覆うシール手段４が設けられる（図２）。
【００４４】
本実施形態によるコネクタの本体２０は、例えばガラス繊維のような強化繊維でできるだけ満たされた樹脂によって構成され、好ましくは射出成形により得られる。樹脂の例として、ポリアミド、ポリエチレン、ＳＡＮ、ポリプロピレンにより構成してもよい。
【００４５】
フランジ２２，２３は、ほぼ平行六面体形状をなす。それらは互いに反対側の２つの長手方向面２４，２５と、フランジの最長の伸延部に沿って伸延し、長手方向面２４，２５に連設する互いに反対側の２つの側壁２６，２７とを有する。
【００４６】
側壁２６，２７は、中空品の内壁に結合するような止め具２８，２９（図３）を備え、中空品端部のコネクタの硬直的な固定手段を構成し、これにより中空品端部をしっかりと係止状態に保つ。硬直的な止め具は、さらに中空品端部の内側中央にコネクタを配置し、これにより２つの中空品端部が平行状態で互いに向かい合うことを可能にする。
【００４７】
各フランジ２２，２３は、その自由端部に少なくとも一つの、好ましくは平行に相隔たる２つの、中空品端部に係止されるコネクタの付加的な固定手段を構成する柔軟性あるリップ３０，３１をさらに備える。
【００４８】
これら柔軟性ある固定手段は、それらが果たさねばならぬ機能として、柔軟性もしくは弾力性を示す。この柔軟性もしくは弾力性は、一方では、まさにその構成材料と形状のおかげで得られ、他方では、それらをコネクタのフランジに固定するための必要最小限の材料よりも多い材料を、それらの周囲に有さないという理由で得られる。
【００４９】
柔軟性あるリップは、例えばポリアミド、ポリプロピレン、ＳＡＮのような相当な弾力性のある樹脂をベースとし、好ましくは約３０％のガラス強化繊維で満たされている。それらは他の硬直的な固定手段（止め具）およびコネクタの本体と同一の材料で構成されることが好ましく、これにより例えば樹脂成形により、単一の作業でコネクタ全体を製造することができる。
【００５０】
さらにコネクタを中空品に容易に嵌合させるため、樹脂製のリップの粗さが、中空品の内部に形成された樹脂に適合している。
【００５１】
各リップは、ベース部３２、伸延部３３、および上端部３４を有する。
【００５２】
ベース部３２は、フランジの平行六面体の延長部２４ａに固定されている。延長部の一つの面は、フランジの長手方向の一つの面、ここでは２４に連設されている。
【００５３】
ここに示す例では、リップは、延長部２４ａの一つの面からのみ突出し、リップの端部３４は中空品端部の内側に結合している。一方で、反対位置では、適用例によると、フランジの反対側の長手方向面２４が中空品端部の内壁を支える。これにより面２４はコネクタを中空品端部に固定する。
【００５４】
延長部２４ａは、コネクタのフランジのリップに機械的強度を容易に与え、リップは長手方向軸線Ｂに垂直な二方向で延長部からここまで延びている。さらに、延長部はフランジの本体の厚さよりも非常に薄い厚さを有する。その厚さは、フランジの側面２６，２７の高さの半分以上に薄くされている。延長部の幅もまた、２つの反対側の側面２６，２７を隔てるフランジの幅よりも小さい。
【００５５】
リップの伸延部３３は、好ましくはフランジの延長部２４ａのウェブに対し垂直に、ベース部３２から始まる（図６）。リップは、その後、ウェブに対し４５°と９０°の間の角度αで、コネクタの中央部品２１に向けて傾斜して伸延し（図５，６）、上端部３４で終わる。
【００５６】
リップの幅は、少なくともベース部３２の近傍で、コネクタの断面の最大幅ｌ１に一致する。本実施形態によると、この幅は中空品端部の内側の幅ｌ２よりも相当に大きく、コネクタは中空品端部に必然的にきつく挿入され、いったん所定位置にて中空品端部がコネクタの周囲に機械的に保持されることを確実にするため、まさに必要とされる力を中空品端部の内壁に及ぼす。２つの幅ｌ１とｌ２との横方向の寸法差Δｌは、リップの片側または両側でもよいが、０．５ｍｍを超えない（図４）。
【００５７】
さらに、コネクタの断面の最大高さｈ１もリップにある。リップの上端部３４も、リップのベース部が位置する面２４から反対側にあるフランジの長手方向面２５に相関のある突出部として、概略定まる。高さｈ１は、本実施形態によると、中空品端部の内側の高さｈ２よりも大きい。ｈ１とｈ２との高さの寸法差Δｈは、０．５ｍｍを超えない（図１）。
【００５８】
中空品端部の内壁と相関のある高さの差Δｈと幅の差Δｌ（絶縁ガラスフレームへの適用では通常のコネクタの寸法の場合に０．５ｍｍを超えない）を生じるコネクタのリップのオーバーサイズ化は、あまりに大きなストレスを生じないように設計されることが好ましい。このオーバーサイズ化は、コネクタが引っ張られた場合に、コネクタ全体の取り外しを防止する。取付位置におけるコネクタの不都合な取り外しは、それ自体、より高いストレスによって防止されるが、このストレスは極めて集中し（局所ストレス）、硬直的な止め具２８，２９によって得られるので、中空品端部を破裂させるおそれを生じない。
【００５９】
このように柔軟性あるリップ３０，３１は、コネクタのフランジの面から突出する保持システムを構成し、いったんそれが中空品端部に係止されると、コネクタを固定状態に保つ。それらは中空品端部からのコネクタの完全なる取り外しを防止する。これは、リップの弾力性と傾きのため、中空品端部を引っ張ることが要求されると、要求された引張方向とは反対方向に傾きがより大きくなるためである。
【００６０】
伸延部３３の角度αの傾きは、中空品端部が取り外されようとした場合に、コネクタに作用する引張力に対抗するために必要である。さらに、図６に関し上述したように、傾く前に伸延部に垂直の形状を与えることが好ましく、これにより中空品端部にコネクタを係止することを一層容易にする。
【００６１】
コネクタの中央部品２１とは反対方向にあるベース部３２に対する傾斜角βをもって、リップの上端部３４を好ましくは斜めにすべきことを付言する。この傾斜は、中空品端部からコネクタが取り外されようとした場合に、上述のように負荷される引張の方向とは反対方向に向かっているので、それによりコネクタの取り外しを一層防止する。
【００６２】
最後に、リップの伸延部３３は、比率ｅ／Ｌがｅ／Ｌ＜１／３、好ましくはｅ／Ｌ＜１／４となるように厚さｅと長さＬを有することが好ましい。厚さｅは例えば０．５ｍｍである。長さＬは、ベース部３２から始まって自由端部３４までの寸法の大きさに一致する。この寸法比ｅ／Ｌを最大限に活用することにより、コネクタが所定位置にあるときに、中空品端部の壁に対抗するストレスを一層低減することが可能となる。リップの幅のような長さＬは、適用例によって定まり、ここでは中空品端部の内部寸法によって定まる。その長さＬは、例えば約５ｍｍとしてもよく、幅は約１３ｍｍとしてもよい。
【００６３】
上述したように、コネクタの本体の中央部品１１は、２つの中空品端部が一体に突き当てられたとき、および適用例がシールを要求するときに、シール手段4（図２）を支持することを目的とする。この手段は、上述のコネクタの中央部品をシールするとともに、中空品端部が中央部品に接して一体に突き当てられた後、それにも拘わらず存在する隙間をシールする。
【００６４】
中央部品２１は、フランジの側面２５，２６に関して突起部を構成する側面突起部を備え、これによりコネクタが中空品端部に十分に挿入されたとき、中空品端部の各側にとっての停止部（２１ａ，２１ｂをそれぞれ参照）を構成する。
【００６５】
シール手段４は、コネクタの中央部品への注入、および中空品端部と停止部２１ａ，２１ｂとの間の合口隙間への注入により塗布されたシール用マスチックからなる。
【００６６】
好ましい実施形態において、本発明は、例えばキャップのような構造化要素からなり、適切な不浸透性の材料からなるシール手段４を備える。このキャップは樹脂成形され、中央部品１２を密接に覆うとともにフランジ２２，２３の開始部を部分的に覆うために必要とされる形状に一致し、中空品端部がコネクタの所定位置にあるときに、合口隙間を覆う。このキャップは、接着型の固着手段により中央部品に取り付けられるようにしてもよく、中央部品に直接樹脂成形されるようにしてもよい。そのようなキャップは、特許出願ＦＲ０６／５１３７０に記載されている。
【図１】
0005508014.tif 000002
【図２】
0005508014.tif 000003
【図３】
0005508014.tif 000004
【図４】
0005508014.tif 000005
【図５】
0005508014.tif 000006
【図６】
0005508014.tif 000007